【手続補正書】
【提出日】平成16年3月4日(2004.3.4)
【手続補正１】
【補正対象書類名】明細書
【補正対象項目名】特許請求の範囲
【補正方法】変更
【補正の内容】
【特許請求の範囲】
【請求項１】
光源からの光をＲ光、Ｇ光及びＢ光に色分解する色分解光学系と、
前記色分解光学系によって色分解されたＲ光、Ｇ光及びＢ光のうちの少なくとも１つの色光を反射させてその光軸の方向を変える１つ以上の折り曲げミラーと、
前記１つ以上の折り曲げミラーによって光軸の方向が変えられた色光を含むＲ光、Ｇ光及びＢ光をそれぞれ変調する第１、第２及び第３のライトバルブと、
前記第１、第２及び第３のライトバルブによってそれぞれ変調されたＲ光、Ｇ光及びＢ光を色合成する色合成光学系と、
前記色合成光学系によって色合成された光を投射する投射光学系と、
を備え、
前記１つ以上の折り曲げミラーは、入射光の偏光の純度より反射光の偏光の純度を高くする特性を有するミラーであることを特徴とする投射型表示装置。
【請求項２】
光源からの光をＲ光、Ｇ光及びＢ光に色分解する色分解光学系と、
前記色分解光学系によって色分解されたＲ光、Ｇ光及びＢ光をそれぞれ反射させてそれらの光軸の方向をそれぞれ変える各色光毎に１つ以上の折り曲げミラーと、
前記各色光毎に１つ以上の折り曲げミラーによって光軸の方向が変えられたＲ光、Ｇ光及びＢ光をそれぞれ変調する第１、第２及び第３のライトバルブと、
前記第１、第２及び第３のライトバルブによってそれぞれ変調されたＲ光、Ｇ光及びＢ光を色合成する色合成光学系と、
前記色合成光学系によって色合成された光を投射する投射光学系と、
を備え、
前記各色光毎に１つ以上の折り曲げミラーは、入射光の偏光の純度より反射光の偏光の純度を高くする特性を有するミラーであることを特徴とする投射型表示装置。
【請求項３】
光源からの光をＲ光、Ｇ光及びＢ光に色分解する色分解光学系と、
前記色分解光学系によって色分解されたＲ光、Ｇ光及びＢ光をそれぞれ反射させてそれらの光軸の方向をそれぞれ変える各色光毎に複数の折り曲げミラーと、
前記各色光毎に複数の折り曲げミラーによって光軸の方向が変えられたＲ光、Ｇ光及びＢ光をそれぞれ変調する第１、第２及び第３のライトバルブと、
前記第１、第２及び第３のライトバルブによってそれぞれ変調されたＲ光、Ｇ光及びＢ光を色合成する色合成光学系と、
前記色合成光学系によって色合成された光を投射する投射光学系と、
を備え、
前記各色光毎に複数の折り曲げミラーのうちの少なくとも、対応するライトバルブの入射側において当該ライトバルブの最も近くに配置された各色光毎に折り曲げミラーは、入射光の偏光の純度より反射光の偏光の純度を高くする特性を有するミラーであることを特徴とする投射型表示装置。
【請求項４】
光源からの光をＲ光、Ｇ光及びＢ光に色分解する色分解光学系と、
前記色分解光学系によって色分解されたＲ光、Ｇ光及びＢ光をそれぞれ反射させてそれらの光軸の方向をそれぞれ変える各色光毎に複数の折り曲げミラーと、
前記各色光毎に複数の折り曲げミラーによって光軸の方向が変えられたＲ光、Ｇ光及びＢ光をそれぞれ変調する第１、第２及び第３のライトバルブと、
前記第１、第２及び第３のライトバルブによってそれぞれ変調されたＲ光、Ｇ光及びＢ光を色合成する色合成光学系と、
前記色合成光学系によって色合成された光を投射する投射光学系と、
を備え、
前記各色光毎に複数の折り曲げミラーは、入射光の偏光の純度より反射光の偏光の純度を高くする特性を有するミラーであることを特徴とする投射型表示装置。
【請求項５】
光源からの光をＲ光、Ｇ光及びＢ光に色分解する色分解光学系と、前記色分解光学系によって色分解されたＲ光、Ｇ光及びＢ光をそれぞれ反射させてそれらの光軸の方向をそれぞれ変える各色光毎に１つ以上の折り曲げミラーと、前記Ｒ光、Ｇ光及びＲ光にそれぞれ対応して設けられた第１、第２及び第３の偏光ビームスプリッタと、第１、第２及び第３の反射型ライトバルブと、色合成光学系と、投射光学系と、を備え、
前記第１、第２及び第３の偏光ビームスプリッタは、前記各色光毎に１つ以上の折り曲げミラーによって光軸の方向が変えられたＲ光、Ｇ光及びＢ光をそれぞれ２つの偏光光に偏光分離し、
前記第１、第２及び第３の反射型ライトバルブは、前記第１、第２及び第３の偏光ビームスプリッタによって偏光分離されたＲ光、Ｇ光及びＢ光の一方の偏光光をそれぞれ変調し、
前記第１、第２及び第３の偏光ビームスプリッタは、前記第１、第２及び第３の反射型ライトバルブによってそれぞれ変調されたＲ光、Ｇ光及びＢ光をそれぞれ検光し、
前記色合成光学系は、前記第１、第２及び第３の偏光ビームスプリッタによって検光されたＲ光、Ｇ光及びＢ光を色合成し、
前記投射光学系は、前記色合成光学系によって色合成された光を投射し、
前記各色光毎に１つ以上の折り曲げミラーは、入射光の偏光の純度より反射光の偏光の純度を高くする特性を有するミラーであることを特徴とする投射型表示装置。
【手続補正２】
【補正対象書類名】明細書
【補正対象項目名】００１３
【補正方法】変更
【補正の内容】
【００１３】
【課題を解決するための手段】
前記課題を解決するため、本発明の第１の態様による投射型表示装置は、光源からの光をＲ光、Ｇ光及びＢ光に色分解する色分解光学系と、前記色分解光学系によって色分解されたＲ光、Ｇ光及びＢ光のうちの少なくとも１つの色光を反射させてその光軸の方向を変える１つ以上の折り曲げミラーと、前記１つ以上の折り曲げミラーによって光軸の方向が変えられた色光を含むＲ光、Ｇ光及びＢ光をそれぞれ変調する第１、第２及び第３のライトバルブと、前記第１、第２及び第３のライトバルブによってそれぞれ変調されたＲ光、Ｇ光及びＢ光を色合成する色合成光学系と、前記色合成光学系によって色合成された光を投射する投射光学系と、を備え、前記１つ以上の折り曲げミラーは、入射光の偏光の純度より反射光の偏光の純度を高くする特性を有するミラーであるものである。


【手続補正３】
【補正対象書類名】明細書
【補正対象項目名】００１５
【補正方法】変更
【補正の内容】
【００１５】
本発明の第２の態様による投射型表示装置は、光源からの光をＲ光、Ｇ光及びＢ光に色分解する色分解光学系と、前記色分解光学系によって色分解されたＲ光、Ｇ光及びＢ光をそれぞれ反射させてそれらの光軸の方向をそれぞれ変える各色光毎に１つ以上の折り曲げミラーと、前記各色光毎に１つ以上の折り曲げミラーによって光軸の方向が変えられたＲ光、Ｇ光及びＢ光をそれぞれ変調する第１、第２及び第３のライトバルブと、前記第１、第２及び第３のライトバルブによってそれぞれ変調されたＲ光、Ｇ光及びＢ光を色合成する色合成光学系と、前記色合成光学系によって色合成された光を投射する投射光学系と、を備え、前記各色光毎に１つ以上の折り曲げミラーは、入射光の偏光の純度より反射光の偏光の純度を高くする特性を有するミラーであるものである。


【手続補正４】
【補正対象書類名】明細書
【補正対象項目名】００１７
【補正方法】変更
【補正の内容】
【００１７】
本発明の第３の態様による投射型表示装置は、光源からの光をＲ光、Ｇ光及びＢ光に色分解する色分解光学系と、前記色分解光学系によって色分解されたＲ光、Ｇ光及びＢ光をそれぞれ反射させてそれらの光軸の方向をそれぞれ変える各色光毎に複数の折り曲げミラーと、前記各色光毎に複数の折り曲げミラーによって光軸の方向が変えられたＲ光、Ｇ光及びＢ光をそれぞれ変調する第１、第２及び第３のライトバルブと、前記第１、第２及び第３のライトバルブによってそれぞれ変調されたＲ光、Ｇ光及びＢ光を色合成する色合成光学系と、前記色合成光学系によって色合成された光を投射する投射光学系と、を備え、前記各色光毎に複数の折り曲げミラーのうちの少なくとも、対応するライトバルブの入射側において当該ライトバルブの最も近くに配置された各色光毎に折り曲げミラーは、入射光の偏光の純度より反射光の偏光の純度を高くする特性を有するミラーであるものである。


【手続補正５】
【補正対象書類名】明細書
【補正対象項目名】００２０
【補正方法】変更
【補正の内容】
【００２０】
本発明の第４の態様による投射型表示装置は、光源からの光をＲ光、Ｇ光及びＢ光に色分解する色分解光学系と、前記色分解光学系によって色分解されたＲ光、Ｇ光及びＢ光をそれぞれ反射させてそれらの光軸の方向をそれぞれ変える各色光毎に複数の折り曲げミラーと、前記各色光毎に複数の折り曲げミラーによって光軸の方向が変えられたＲ光、Ｇ光及びＢ光をそれぞれ変調する第１、第２及び第３のライトバルブと、前記第１、第２及び第３のライトバルブによってそれぞれ変調されたＲ光、Ｇ光及びＢ光を色合成する色合成光学系と、前記色合成光学系によって色合成された光を投射する投射光学系と、を備え、前記各色光毎に複数の折り曲げミラーは、入射光の偏光の純度より反射光の偏光の純度を高くする特性を有するミラーであるものである。


【手続補正６】
【補正対象書類名】明細書
【補正対象項目名】００２２
【補正方法】変更
【補正の内容】
【００２２】
本発明の第５の態様による投射型表示装置は、光源からの光をＲ光、Ｇ光及びＢ光に色分解する色分解光学系と、前記色分解光学系によって色分解されたＲ光、Ｇ光及びＢ光をそれぞれ反射させてそれらの光軸の方向をそれぞれ変える各色光毎に１つ以上の折り曲げミラーと、前記Ｒ光、Ｇ光及びＲ光にそれぞれ対応して設けられた第１、第２及び第３の偏光ビームスプリッタと、第１、第２及び第３の反射型ライトバルブと、色合成光学系と、投射光学系と、を備え、前記第１、第２及び第３の偏光ビームスプリッタは、前記各色光毎に１つ以上の折り曲げミラーによって光軸の方向が変えられたＲ光、Ｇ光及びＢ光をそれぞれ２つの偏光光に偏光分離し、前記第１、第２及び第３の反射型ライトバルブは、前記第１、第２及び第３の偏光ビームスプリッタによって偏光分離されたＲ光、Ｇ光及びＢ光の一方の偏光光をそれぞれ変調し、前記第１、第２及び第３の偏光ビームスプリッタは、前記第１、第２及び第３の反射型ライトバルブによってそれぞれ変調されたＲ光、Ｇ光及びＢ光をそれぞれ検光し、前記色合成光学系は、前記第１、第２及び第３の偏光ビームスプリッタによって検光されたＲ光、Ｇ光及びＢ光を色合成し、前記投射光学系は、前記色合成光学系によって色合成された光を投射し、前記各色光毎に１つ以上の折り曲げミラーは、入射光の偏光の純度より反射光の偏光の純度を高くする特性を有するミラーであるものである。